(57)【要約】      （修正有）【課題】インクジェットプリンターにおいて印刷ジョブの実行を開始してから他の印刷ジョブの実行を開始するまでの時間を短縮できる印刷制御プログラム、印刷制御装置及び印刷制御方法の提供。【解決手段】プリンター制御装置は、３Ｄプリンターに印刷を実行させる印刷制御手段と、３Ｄプリンターによる印刷ジョブが印刷制御手段によって中断された場合に印刷ジョブにおける中断時点を記憶する（Ｓ２３１）中断時点記憶手段とを備え、印刷制御手段は、中断時点記憶手段によって記憶された中断時点から印刷ジョブを再開し（Ｓ２３２）、印刷制御手段は、印刷ジョブを中断してから再開するまでの間に３Ｄプリンターに他の印刷ジョブを実行させることが可能である印刷制御方法。【選択図】図１４
2018089777.tif 000002
【特許請求の範囲】
【請求項１】
インクジェットプリンターに印刷を実行させる印刷制御手段と、
前記インクジェットプリンターによる印刷ジョブが前記印刷制御手段によって中断された場合に前記印刷ジョブにおける中断時点を記憶する中断時点記憶手段と
をコンピューターに実現させ、
前記印刷制御手段は、前記中断時点記憶手段によって記憶された前記中断時点から前記印刷ジョブを再開し、
前記印刷制御手段は、前記印刷ジョブを中断してから再開するまでの間に前記インクジェットプリンターに他の印刷ジョブを実行させることが可能であることを特徴とする印刷制御プログラム。
【請求項２】
インクジェットプリンターに印刷を実行させる印刷制御手段と、
前記インクジェットプリンターによる印刷ジョブが前記印刷制御手段によって中断された場合に前記印刷ジョブにおける中断時点を記憶する中断時点記憶手段と
を備え、
前記印刷制御手段は、前記中断時点記憶手段によって記憶された前記中断時点から前記印刷ジョブを再開し、
前記印刷制御手段は、前記印刷ジョブを中断してから再開するまでの間に前記インクジェットプリンターに他の印刷ジョブを実行させることが可能であることを特徴とする印刷制御装置。
【請求項３】
インクジェットプリンターに印刷を実行させる印刷制御ステップと、
前記インクジェットプリンターによる印刷ジョブが前記印刷制御ステップによって中断された場合に前記印刷ジョブにおける中断時点を記憶する中断時点記憶ステップと
を備え、
前記印刷制御ステップは、前記中断時点記憶ステップによって記憶された前記中断時点から前記印刷ジョブを再開するステップであり、
前記印刷制御ステップは、前記印刷ジョブを中断してから再開するまでの間に前記インクジェットプリンターに他の印刷ジョブを実行させることが可能なステップであることを特徴とする印刷制御方法。
【請求項４】
インクジェットプリンターに印刷を実行させる印刷制御手段と、
前記インクジェットプリンターによる印刷ジョブの実行のプレビューを表示デバイスに表示する表示制御手段と、
前記表示制御手段によって前記表示デバイスに表示された前記プレビューにおいて前記印刷ジョブの一部の実行の指示を受け付ける一部印刷指示受付手段と
をコンピューターに実現させ、
前記印刷制御手段は、前記一部の実行の指示が前記一部印刷指示受付手段によって受け付けられた場合に前記インクジェットプリンターに前記一部を実行させることを特徴とする印刷制御プログラム。
【請求項５】
インクジェットプリンターに印刷を実行させる印刷制御手段と、
前記インクジェットプリンターによる印刷ジョブの実行のプレビューを表示デバイスに表示する表示制御手段と、
前記表示制御手段によって前記表示デバイスに表示された前記プレビューにおいて前記印刷ジョブの一部の実行の指示を受け付ける一部印刷指示受付手段と
を備え、
前記印刷制御手段は、前記一部の実行の指示が前記一部印刷指示受付手段によって受け付けられた場合に前記インクジェットプリンターに前記一部を実行させることを特徴とする印刷制御装置。
【請求項６】
インクジェットプリンターに印刷を実行させる印刷制御ステップと、
前記インクジェットプリンターによる印刷ジョブの実行のプレビューを表示デバイスに表示する表示制御ステップと、
前記表示制御ステップによって前記表示デバイスに表示された前記プレビューにおいて前記印刷ジョブの一部の実行の指示を受け付ける一部印刷指示受付ステップと
を備え、
前記印刷制御ステップは、前記一部の実行の指示が前記一部印刷指示受付ステップによって受け付けられた場合に前記インクジェットプリンターに前記一部を実行させるステップであることを特徴とする印刷制御方法。
【請求項７】
前記インクジェットプリンターによる前記印刷ジョブの実行のプレビューを表示デバイスに表示する表示制御手段と、
前記表示制御手段によって前記表示デバイスに表示された前記プレビューにおいて前記印刷ジョブの一部の実行の指示を受け付ける一部印刷指示受付手段と
を前記コンピューターに実現させ、
前記印刷制御手段は、前記一部の実行の指示が前記一部印刷指示受付手段によって受け付けられた場合に前記インクジェットプリンターに前記一部を実行させることによって前記印刷ジョブを中断することを特徴とする請求項１に記載の印刷制御プログラム。
【請求項８】
前記インクジェットプリンターは、印刷によって三次元造形物を造形する３Ｄプリンターであり、
前記印刷制御プログラムは、
３Ｄモデルデータに基づいて前記３Ｄプリンターが処理可能な造形データを生成する造形データ生成手段と、
前記三次元造形物の表面に特定の厚みの部分を追加するか否かの指示を受け付ける部分追加指示受付手段と
を前記コンピューターに実現させ、
前記印刷制御手段は、前記造形データ生成手段によって生成された前記造形データに基づいて前記３Ｄプリンターに前記三次元造形物を造形させ、
前記造形データ生成手段は、前記部分を追加することが前記部分追加指示受付手段によって受け付けられた場合に、前記部分を追加した前記造形データを生成することを特徴とする請求項１、請求項４または請求項７に記載の印刷制御プログラム。
【請求項９】
前記部分は、前記部分を追加せずに前記３Ｄモデルデータから生成したと仮定した場合の前記造形データにおける前記三次元造形物の表面の層を形成するインクと同一のインクによって形成されることを特徴とする請求項８に記載の印刷制御プログラム。
【請求項１０】
前記部分追加指示受付手段は、前記特定の厚みの指示を受け付けることを特徴とする請求項８または請求項９に記載の印刷制御プログラム。
【発明の詳細な説明】
【技術分野】
【０００１】
本発明は、インクジェットプリンターに印刷を実行させるための印刷制御プログラム、印刷制御装置および印刷制御方法に関する。
【背景技術】
【０００２】
従来、インクジェットプリンターとしての３Ｄプリンターが処理可能な造形データを３Ｄモデルデータに基づいて生成した後、生成した造形データに基づいて３Ｄプリンターによって三次元造形物を造形する方法が知られている（例えば、特許文献１参照。）。
【先行技術文献】
【特許文献】
【０００３】
【特許文献１】特開２０１５−１９３１８４号公報
【発明の概要】
【発明が解決しようとする課題】
【０００４】
しかしながら、従来の技術においては、３Ｄプリンターによる三次元造形物の造形が開始されると、この三次元造形物の造形が完了するまで、長時間、３Ｄプリンターによる他の三次元造形物の造形を開始することができないという問題がある。
【０００５】
そこで、本発明は、インクジェットプリンターにおいて印刷ジョブの実行を開始してから他の印刷ジョブの実行を開始するまでの時間を短縮することができる印刷制御プログラム、印刷制御装置および印刷制御方法を提供することを目的とする。
【課題を解決するための手段】
【０００６】
本発明の印刷制御プログラムは、インクジェットプリンターに印刷を実行させる印刷制御手段と、前記インクジェットプリンターによる印刷ジョブが前記印刷制御手段によって中断された場合に前記印刷ジョブにおける中断時点を記憶する中断時点記憶手段とをコンピューターに実現させ、前記印刷制御手段は、前記中断時点記憶手段によって記憶された前記中断時点から前記印刷ジョブを再開し、前記印刷制御手段は、前記印刷ジョブを中断してから再開するまでの間に前記インクジェットプリンターに他の印刷ジョブを実行させることが可能であることを特徴とする。
【０００７】
この構成により、本発明の印刷制御プログラムを実行するコンピューターは、インクジェットプリンターによる印刷ジョブを中断した後、この印刷ジョブを再開する前に、インクジェットプリンターによって他の印刷ジョブを実行することができるので、インクジェットプリンターにおいて印刷ジョブの実行を開始してから他の印刷ジョブの実行を開始するまでの時間を短縮することができる。
【０００８】
本発明の印刷制御装置は、インクジェットプリンターに印刷を実行させる印刷制御手段と、前記インクジェットプリンターによる印刷ジョブが前記印刷制御手段によって中断された場合に前記印刷ジョブにおける中断時点を記憶する中断時点記憶手段とを備え、前記印刷制御手段は、前記中断時点記憶手段によって記憶された前記中断時点から前記印刷ジョブを再開し、前記印刷制御手段は、前記印刷ジョブを中断してから再開するまでの間に前記インクジェットプリンターに他の印刷ジョブを実行させることが可能であることを特徴とする。
【０００９】
この構成により、本発明の印刷制御装置は、インクジェットプリンターによる印刷ジョブを中断した後、この印刷ジョブを再開する前に、インクジェットプリンターによって他の印刷ジョブを実行することができるので、インクジェットプリンターにおいて印刷ジョブの実行を開始してから他の印刷ジョブの実行を開始するまでの時間を短縮することができる。
【００１０】
本発明の印刷制御方法は、インクジェットプリンターに印刷を実行させる印刷制御ステップと、前記インクジェットプリンターによる印刷ジョブが前記印刷制御ステップによって中断された場合に前記印刷ジョブにおける中断時点を記憶する中断時点記憶ステップとを備え、前記印刷制御ステップは、前記中断時点記憶ステップによって記憶された前記中断時点から前記印刷ジョブを再開するステップであり、前記印刷制御ステップは、前記印刷ジョブを中断してから再開するまでの間に前記インクジェットプリンターに他の印刷ジョブを実行させることが可能なステップであることを特徴とする。
【００１１】
この構成により、本発明の印刷制御方法は、インクジェットプリンターによる印刷ジョブを中断した後、この印刷ジョブを再開する前に、インクジェットプリンターによって他の印刷ジョブを実行することができるので、インクジェットプリンターにおいて印刷ジョブの実行を開始してから他の印刷ジョブの実行を開始するまでの時間を短縮することができる。
【００１２】
本発明の印刷制御プログラムは、インクジェットプリンターに印刷を実行させる印刷制御手段と、前記インクジェットプリンターによる印刷ジョブの実行のプレビューを表示デバイスに表示する表示制御手段と、前記表示制御手段によって前記表示デバイスに表示された前記プレビューにおいて前記印刷ジョブの一部の実行の指示を受け付ける一部印刷指示受付手段とをコンピューターに実現させ、前記印刷制御手段は、前記一部の実行の指示が前記一部印刷指示受付手段によって受け付けられた場合に前記インクジェットプリンターに前記一部を実行させることを特徴とする。
【００１３】
この構成により、本発明の印刷制御プログラムを実行するコンピューターは、印刷ジョブの全部ではなく、印刷ジョブのうちプレビューにおいて指示された一部をインクジェットプリンターに実行させるので、インクジェットプリンターにおいて印刷ジョブの実行を開始してから他の印刷ジョブの実行を開始するまでの時間を短縮することができる。また、本発明の印刷制御プログラムを実行するコンピューターは、印刷ジョブのうち実行される部分の指示をプレビューによって受け付けるので、インクジェットプリンターによって印刷されることを利用者が意図していたものと、実際にインクジェットプリンターによって印刷されたものとの差異を抑えることができる。
【００１４】
本発明の印刷制御装置は、インクジェットプリンターに印刷を実行させる印刷制御手段と、前記インクジェットプリンターによる印刷ジョブの実行のプレビューを表示デバイスに表示する表示制御手段と、前記表示制御手段によって前記表示デバイスに表示された前記プレビューにおいて前記印刷ジョブの一部の実行の指示を受け付ける一部印刷指示受付手段とを備え、前記印刷制御手段は、前記一部の実行の指示が前記一部印刷指示受付手段によって受け付けられた場合に前記インクジェットプリンターに前記一部を実行させることを特徴とする。
【００１５】
この構成により、本発明の印刷制御装置は、印刷ジョブの全部ではなく、印刷ジョブのうちプレビューにおいて指示された一部をインクジェットプリンターに実行させるので、インクジェットプリンターにおいて印刷ジョブの実行を開始してから他の印刷ジョブの実行を開始するまでの時間を短縮することができる。また、本発明の印刷制御装置は、印刷ジョブのうち実行される部分の指示をプレビューによって受け付けるので、インクジェットプリンターによって印刷されることを利用者が意図していたものと、実際にインクジェットプリンターによって印刷されたものとの差異を抑えることができる。
【００１６】
本発明の印刷制御方法は、インクジェットプリンターに印刷を実行させる印刷制御ステップと、前記インクジェットプリンターによる印刷ジョブの実行のプレビューを表示デバイスに表示する表示制御ステップと、前記表示制御ステップによって前記表示デバイスに表示された前記プレビューにおいて前記印刷ジョブの一部の実行の指示を受け付ける一部印刷指示受付ステップとを備え、前記印刷制御ステップは、前記一部の実行の指示が前記一部印刷指示受付ステップによって受け付けられた場合に前記インクジェットプリンターに前記一部を実行させるステップであることを特徴とする。
【００１７】
この構成により、本発明の印刷制御方法は、印刷ジョブの全部ではなく、印刷ジョブのうちプレビューにおいて指示された一部をインクジェットプリンターに実行させるので、インクジェットプリンターにおいて印刷ジョブの実行を開始してから他の印刷ジョブの実行を開始するまでの時間を短縮することができる。また、本発明の印刷制御方法は、印刷ジョブのうち実行される部分の指示をプレビューによって受け付けるので、インクジェットプリンターによって印刷されることを利用者が意図していたものと、実際にインクジェットプリンターによって印刷されたものとの差異を抑えることができる。
【００１８】
本発明の印刷制御プログラムは、前記インクジェットプリンターによる前記印刷ジョブの実行のプレビューを表示デバイスに表示する表示制御手段と、前記表示制御手段によって前記表示デバイスに表示された前記プレビューにおいて前記印刷ジョブの一部の実行の指示を受け付ける一部印刷指示受付手段とを前記コンピューターに実現させ、前記印刷制御手段は、前記一部の実行の指示が前記一部印刷指示受付手段によって受け付けられた場合に前記インクジェットプリンターに前記一部を実行させることによって前記印刷ジョブを中断しても良い。
【００１９】
この構成により、本発明の印刷制御プログラムを実行するコンピューターは、印刷ジョブの全部ではなく、印刷ジョブのうちプレビューにおいて指示された一部をインクジェットプリンターに実行させるので、インクジェットプリンターにおいて印刷ジョブの実行を開始してから他の印刷ジョブの実行を開始するまでの時間を短縮することができる。また、本発明の印刷制御プログラムを実行するコンピューターは、印刷ジョブのうち中断前に実行される部分の指示をプレビューによって受け付けるので、印刷ジョブのうち中断前に実行される部分と、この印刷ジョブのうち再開後に造形される部分との両方に関して、インクジェットプリンターによって印刷されることを利用者が意図していたものと、実際にインクジェットプリンターによって印刷されたものとの差異を抑えることができる。
【００２０】
本発明の印刷制御プログラムにおいて、前記インクジェットプリンターは、印刷によって三次元造形物を造形する３Ｄプリンターであり、前記印刷制御プログラムは、３Ｄモデルデータに基づいて前記３Ｄプリンターが処理可能な造形データを生成する造形データ生成手段と、前記三次元造形物の表面に特定の厚みの部分を追加するか否かの指示を受け付ける部分追加指示受付手段とを前記コンピューターに実現させ、前記印刷制御手段は、前記造形データ生成手段によって生成された前記造形データに基づいて前記３Ｄプリンターに前記三次元造形物を造形させ、前記造形データ生成手段は、前記部分を追加することが前記部分追加指示受付手段によって受け付けられた場合に、前記部分を追加した前記造形データを生成しても良い。
【００２１】
この構成により、本発明の印刷制御プログラムを実行するコンピューターは、三次元造形物の表面に特定の厚みの部分を追加した造形データを生成するので、表面に特定の厚みの部分を追加した三次元造形物を３Ｄプリンターに造形させることができる。したがって、本発明の印刷制御プログラムを実行するコンピューターによって３Ｄプリンターで造形された三次元造形物は、複数のインクの滴で形成されることによって生じる表面の凹凸を、表面に追加された部分が削られることによって低減することができる。
【００２２】
本発明の印刷制御プログラムにおいて、前記部分は、前記部分を追加せずに前記３Ｄモデルデータから生成したと仮定した場合の前記造形データにおける前記三次元造形物の表面の層を形成するインクと同一のインクによって形成されても良い。
【００２３】
この構成により、本発明の印刷制御プログラムを実行するコンピューターは、三次元造形物の表面に追加する部分が、この部分を追加せずに３Ｄモデルデータから生成したと仮定した場合の造形データにおける三次元造形物の表面の層を形成するインクと同一のインクによって形成されるので、この部分を追加せずに３Ｄモデルデータから生成したと仮定した場合の造形データにおける三次元造形物の表面の層を厚くした三次元造形物を３Ｄプリンターに造形させることができる。したがって、本発明の印刷制御プログラムを実行するコンピューターによって３Ｄプリンターで造形された三次元造形物は、表面に追加された部分が削られたとしても、３Ｄモデルデータに適切に対応した外観を得ることができる。
【００２４】
本発明の印刷制御プログラムにおいて、前記部分追加指示受付手段は、前記特定の厚みの指示を受け付けても良い。
【００２５】
この構成により、本発明の印刷制御プログラムを実行するコンピューターは、利用者が希望する厚みの部分を表面に追加した三次元造形物を３Ｄプリンターに造形させることができる。したがって、本発明の印刷制御プログラムを実行するコンピューターによって３Ｄプリンターで造形された三次元造形物は、複数のインクの滴で形成されることによって生じる表面の凹凸を、表面に適切な厚みで追加された部分が削られることによって適切に低減することができる。
【発明の効果】
【００２６】
本発明の印刷制御プログラム、印刷制御装置および印刷制御方法は、インクジェットプリンターにおいて印刷ジョブの実行を開始してから他の印刷ジョブの実行を開始するまでの時間を短縮することができる。
【図面の簡単な説明】
【００２７】
【図１】本発明の一実施の形態に係る三次元造形システムのブロック図である。
【図２】図１に示す３Ｄプリンターの正面図である。
【図３】図１に示す３Ｄプリンターのブロック図である。
【図４】図１に示すプリンター制御装置のブロック図である。
【図５】図４に示す表示部に表示されるグラフィカルユーザーインターフェイスの一例を示す図である。
【図６】図５に示すプレビュー表示領域の一例を示す図である。
【図７】図５に示す進捗状況表示領域の一例を示す図である。
【図８】履歴表示領域が表示されている場合の図５に示すグラフィカルユーザーインターフェイスの一例を示す図である。
【図９】３Ｄプリンターによって三次元造形物を造形する場合の図４に示すプリンター制御装置の動作のフローチャートである。
【図１０】造形データを生成する場合の図４に示すプリンター制御装置の動作のフローチャートである。
【図１１】３Ｄプリンターによる印刷ジョブが中断される場合の図４に示すプリンター制御装置の動作のフローチャートである。
【図１２】図５に示すプレビュー表示領域の一例であって、図６に示す例とは異なる例を示す図である。
【図１３】図５に示すプレビュー表示領域の一例であって、図６および図１２に示す例とは異なる例を示す図である。
【図１４】中断されていた印刷ジョブが再開される場合の図４に示すプリンター制御装置の動作のフローチャートである。
【図１５】図５に示すプレビュー表示領域の一例であって、図６、図１２および図１３に示す例とは異なる例を示す図である。
【発明を実施するための形態】
【００２８】
以下、本発明の一実施の形態について、図面を用いて説明する。
【００２９】
まず、本実施の形態に係る三次元造形システムの構成について説明する。
【００３０】
図１は、本実施の形態に係る三次元造形システム１０のブロック図である。
【００３１】
図１に示すように、三次元造形システム１０は、インクによる印刷によって三次元造形物を造形するインクジェットプリンターである３Ｄプリンター２０と、３Ｄプリンター２０を制御するプリンター制御装置４０とを備えている。プリンター制御装置４０は、３Ｄプリンター２０が処理可能な造形データを、例えばＯＢＪ形式、３ＭＦ形式、ＳＴＬ形式などの形式の３Ｄモデルデータに基づいて生成する装置である。
【００３２】
図２は、３Ｄプリンター２０の正面図である。
【００３３】
図２に示すように、３Ｄプリンター２０は、鉛直方向２０ａにおける下側に紫外線硬化型インク（以下「ＵＶインク」と言う。）２１ａを吐出する複数のインクジェットヘッド２１と、インクジェットヘッド２１によって吐出されて形成されたＵＶインク２１ａの層２１ｂを接触によって平坦化するための平坦化部材としての平坦化ローラー２２と、ＵＶインク２１ａの層２１ｂに紫外線２３ａを照射するための紫外線照射装置２３とを搭載しているキャリッジ２４を備えている。
【００３４】
なお、図２においては、インクジェットヘッド２１が１つしか描かれていない。しかしながら、実際には、３Ｄプリンター２０は、ＵＶインク２１ａの種類毎にインクジェットヘッド２１を備えている。
【００３５】
ＵＶインク２１ａとしては、例えば、三次元造形物の材料になる造形インクと、造形インクによって任意の形状の三次元造形物を形成するために三次元造形物を支持するサポート部の材料になるサポートインクとが存在する。
【００３６】
造形インクとしては、例えば、三次元造形物の基礎部分の材料になる白色のモデルインクと、三次元造形物においてモデルインクの外側に配置されることによって三次元造形物の表面部分を加飾するためのカラーインクと、三次元造形物においてモデルインクまたはカラーインクの外側に配置されることによって三次元造形物の表面部分を加飾するためのクリアーインクとが存在する。カラーインクとしては、例えば、シアンインク、マゼンタインク、イエローインクおよびブラックインクが存在する。
【００３７】
サポートインクは、例えば、水などの特定の液体によって容易に除去されることが可能なインクである。３Ｄプリンター２０において、サポート部は、三次元造形物に対して鉛直方向２０ａにおける下側や水平方向に形成される。例えば、サポート部は、三次元造形物がオーバーハング部を備える場合に、オーバーハング部に対して鉛直方向２０ａにおける下側に形成されてオーバーハング部を支持する。
【００３８】
３Ｄプリンター２０は、インクジェットヘッド２１によって吐出されて紫外線照射装置２３による紫外線２３ａによって硬化されたＵＶインク２１ａによって形成される三次元造形物やサポート部を支持する支持面２５ａが形成されている台２５を備えている。支持面２５ａは、鉛直方向２０ａに直交する水平方向に延在している。
【００３９】
キャリッジ２４および台２５の一方は、他方に対して水平方向に相対移動可能である。
【００４０】
例えば、キャリッジ２４は、水平方向のうち主走査方向２０ｂに移動可能に図示していない機構によって支持されていることによって、台２５に対して主走査方向２０ｂに相対移動可能である。なお、以下においては、キャリッジ２４が主走査方向２０ｂに移動することによって台２５に対して主走査方向２０ｂに相対移動する例について説明するが、台２５が主走査方向２０ｂに移動することによってキャリッジ２４に対して主走査方向２０ｂに相対移動しても良いし、キャリッジ２４および台２５がそれぞれ主走査方向２０ｂに移動することによってキャリッジ２４および台２５の一方が他方に対して主走査方向２０ｂに相対移動しても良い。
【００４１】
また、キャリッジ２４は、水平方向のうち主走査方向２０ｂに直交する副走査方向に移動可能に図示していない機構によって支持されていることによって、台２５に対して副走査方向に相対移動可能である。なお、以下においては、キャリッジ２４が副走査方向に移動することによって台２５に対して副走査方向に相対移動する例について説明するが、台２５が副走査方向に移動することによってキャリッジ２４に対して副走査方向に相対移動しても良いし、キャリッジ２４および台２５がそれぞれ副走査方向に移動することによってキャリッジ２４および台２５の一方が他方に対して副走査方向に相対移動しても良い。
【００４２】
キャリッジ２４および台２５の一方は、他方に対して鉛直方向２０ａに相対移動可能である。例えば、台２５は、鉛直方向２０ａに移動可能に図示していない機構によって支持されていることによって、キャリッジ２４に対して鉛直方向２０ａに相対移動可能である。なお、以下においては、台２５が鉛直方向２０ａに移動することによってキャリッジ２４に対して鉛直方向２０ａに相対移動する例について説明するが、キャリッジ２４が鉛直方向２０ａに移動することによって台２５に対して鉛直方向２０ａに相対移動しても良いし、キャリッジ２４および台２５がそれぞれ鉛直方向２０ａに移動することによってキャリッジ２４および台２５の一方が他方に対して鉛直方向２０ａに相対移動しても良い。
【００４３】
３Ｄプリンター２０は、インクジェットヘッド２１に供給されるＵＶインク２１ａを貯留しているインクタンク２６と、造形インクやサポートインクによって形成される層２１ｂを平坦化するために平坦化ローラー２２によって層２１ｂから掻き取られたＵＶインク２１ａや、インクジェットヘッド２１などのメンテナンスによって排出されたＵＶインク２１ａなど、造形（印刷）が実行されるために廃棄されるＵＶインク２１ａを貯留するための廃インクタンク２７とを備えている。
【００４４】
なお、図２においては、インクタンク２６が１つしか描かれていない。しかしながら、実際には、３Ｄプリンター２０は、ＵＶインク２１ａの種類毎にインクタンク２６を備えている。
【００４５】
図３は、３Ｄプリンター２０のブロック図である。
【００４６】
図３に示すように、３Ｄプリンター２０は、キャリッジ２４（図２参照。）を主走査方向２０ｂ（図２参照。）に移動させる主走査方向移動装置２８と、キャリッジ２４を副走査方向に移動させる副走査方向移動装置２９と、台２５（図２参照。）を鉛直方向２０ａ（図２参照。）に移動させる鉛直方向移動装置３０と、種々の操作が入力されるボタンなどの入力デバイスである操作部３１と、種々の情報を表示するＬＣＤ（Ｌｉｑｕｉｄ  Ｃｒｙｓｔａｌ  Ｄｉｓｐｌａｙ）などの表示デバイスである表示部３２と、ＬＡＮ（Ｌｏｃａｌ  Ａｒｅａ  Ｎｅｔｗｏｒｋ）などのネットワークを介して、または、ネットワークを介さずに有線または無線で直接に、外部の装置と通信を行う通信デバイスである通信部３３と、各種の情報を記憶する半導体メモリー、ＨＤＤ（Ｈａｒｄ  Ｄｉｓｋ  Ｄｒｉｖｅ）などの不揮発性の記憶デバイスである記憶部３４と、３Ｄプリンター２０全体を制御する制御部３５とを備えている。
【００４７】
制御部３５は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部３４に記憶されているプログラムを実行するようになっている。
【００４８】
制御部３５は、通信部３３を介してプリンター制御装置４０（図１参照。）から入力された造形データに基づいて、インクジェットヘッド２１、紫外線照射装置２３、主走査方向移動装置２８、副走査方向移動装置２９および鉛直方向移動装置３０を制御する。具体的には、制御部３５は、副走査方向移動装置２９によって台２５に対する副走査方向におけるキャリッジ２４の位置を変更する度に、主走査方向移動装置２８によって主走査方向２０ｂにキャリッジ２４を移動させながら、インクジェットヘッド２１および紫外線照射装置２３によって造形インクやサポートインクによる水平方向に延在する層２１ｂを形成する。そして、制御部３５は、鉛直方向移動装置３０によってキャリッジ２４に対する鉛直方向２０ａにおける台２５の位置を変更する度に、上述した動作を繰り返すことによって、造形インクやサポートインクによる水平方向に延在する層２１ｂを鉛直方向２０ａに積み上げて、台２５上に三次元造形物やサポート部を形成する。
【００４９】
図４は、プリンター制御装置４０のブロック図である。
【００５０】
図４に示すように、プリンター制御装置４０は、種々の操作が入力されるキーボード、マウスなどの入力デバイスである操作部４１と、種々の情報を表示するＬＣＤなどの表示デバイスである表示部４２と、ＬＡＮなどのネットワークを介して、または、ネットワークを介さずに有線または無線で直接に、外部の装置と通信を行う通信デバイスである通信部４３と、各種の情報を記憶する半導体メモリー、ＨＤＤなどの不揮発性の記憶デバイスである記憶部４４と、プリンター制御装置４０全体を制御する制御部４５とを備えている。プリンター制御装置４０は、例えば、ＰＣ（Ｐｅｒｓｏｎａｌ  Ｃｏｍｐｕｔｅｒ）などのコンピューターによって構成されている。
【００５１】
記憶部４４は、３Ｄプリンター２０（図３参照。）を制御するためのプリンター制御プログラム４４ａを記憶している。プリンター制御プログラム４４ａは、プリンター制御装置４０の製造段階でプリンター制御装置４０にインストールされていても良いし、ＵＳＢ（Ｕｎｉｖｅｒｓａｌ  Ｓｅｒｉａｌ  Ｂｕｓ）メモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体からプリンター制御装置４０に追加でインストールされても良いし、ネットワーク上からプリンター制御装置４０に追加でインストールされても良い。
【００５２】
制御部４５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部４４に記憶されているプログラムを実行するようになっている。
【００５３】
制御部４５は、プリンター制御プログラム４４ａを実行することによって、３Ｄプリンター２０が処理可能な造形データを３Ｄモデルデータに基づいて生成する造形データ生成手段４５ａと、三次元造形物の表面に特定の厚みの部分を追加するか否かの指示を受け付ける部分追加指示受付手段４５ｂと、３Ｄプリンター２０に印刷を実行させることによって三次元造形物を造形させる印刷制御手段４５ｃと、３Ｄプリンター２０による印刷ジョブが印刷制御手段４５ｃによって中断された場合に印刷ジョブにおける中断時点を記憶する中断時点記憶手段４５ｄと、３Ｄプリンター２０による印刷ジョブの実行のプレビューを表示部４２に表示する表示制御手段４５ｅと、表示制御手段４５ｅによって表示部４２に表示されたプレビューにおいて印刷ジョブの一部の実行の指示を受け付ける一部印刷指示受付手段４５ｆとを実現する。したがって、プリンター制御装置４０、プリンター制御プログラム４４ａは、それぞれ、本発明の印刷制御装置、印刷制御プログラムを構成している。
【００５４】
次に、プリンター制御装置４０の動作について説明する。
【００５５】
図５は、表示部４２に表示されるグラフィカルユーザーインターフェイス（以下「ＧＵＩ」と言う。）１００の一例を示す図である。
【００５６】
プリンター制御装置４０が起動されると、表示制御手段４５ｅは、図５に示すＧＵＩ１００を表示部４２に表示する。
【００５７】
図５に示すように、ＧＵＩ１００は、３Ｄプリンター２０やプリンター制御装置４０の情報が常に表示される常時表示領域１１０と、タブによって表示内容が切り替えられる表示切替領域１２０とを含んでいる。
【００５８】
常時表示領域１１０は、プリンター制御プログラム４４ａのバージョンを示すアプリケーションバージョン表示領域１１１ａと、プリンター制御装置４０のＩＰ（Ｉｎｔｅｒｎｅｔ  Ｐｒｏｔｏｃｏｌ）アドレスを示すＩＰアドレス表示領域１１１ｂとを含んでいる。
【００５９】
常時表示領域１１０は、３Ｄプリンター２０の名称を示すプリンター名表示領域１１２ａと、３Ｄプリンター２０のシリアルナンバーを示すシリアルナンバー表示領域１１２ｂと、３Ｄプリンター２０のファームウェアのバージョンを示すＦＷバージョン表示領域１１２ｃと、３Ｄプリンター２０の状態として「造形中」、「待機中」および「印刷不可」の何れかの状態を示す状態表示領域１１２ｄとを含んでいる。
【００６０】
常時表示領域１１０は、サポートインクのインクタンク２６におけるサポートインクの貯留量、すなわち、残量をグラフおよび数値で示すサポートインク残量表示領域１１３ａを含んでいる。モデルインク、クリアーインク、シアンインク、マゼンタインク、イエローインク、ブラックインクについても同様に、常時表示領域１１０は、モデルインク残量表示領域１１３ｂ、クリアーインク残量表示領域１１３ｃ、シアンインク残量表示領域１１３ｄ、マゼンタインク残量表示領域１１３ｅ、イエローインク残量表示領域１１３ｆ、ブラックインク残量表示領域１１３ｇを含んでいる。また、常時表示領域１１０は、廃インクタンク２７におけるＵＶインク２１ａの貯留量を示す廃インク量表示領域１１３ｈを含んでいる。
【００６１】
サポートインク残量表示領域１１３ａのグラフは、サポートインクのインクタンク２６におけるサポートインクの最大貯留量を全体の矩形で示しており、サポートインクのインクタンク２６におけるサポートインクの貯留量を全体の矩形に含まれる左側の矩形で示している。モデルインク残量表示領域１１３ｂ、クリアーインク残量表示領域１１３ｃ、シアンインク残量表示領域１１３ｄ、マゼンタインク残量表示領域１１３ｅ、イエローインク残量表示領域１１３ｆ、ブラックインク残量表示領域１１３ｇおよび廃インク量表示領域１１３ｈについても同様である。
【００６２】
サポートインク残量表示領域１１３ａは、サポートインクのインクタンク２６におけるサポートインクの残量が特定の量を下回った場合、サポートインク残量表示領域１１３ａの対象のＵＶインク２１ａであるサポートインクを示している「サポート」の文字が強調表示されるなど、何らかの強調表示がされる。モデルインク残量表示領域１１３ｂ、クリアーインク残量表示領域１１３ｃ、シアンインク残量表示領域１１３ｄ、マゼンタインク残量表示領域１１３ｅ、イエローインク残量表示領域１１３ｆおよびブラックインク残量表示領域１１３ｇについても同様である。また、廃インク量表示領域１１３ｈは、廃インクタンク２７におけるＵＶインク２１ａの貯留量が特定の量を上回った場合、「廃インク」の文字が強調表示されるなど、何らかの強調表示がされる。
【００６３】
常時表示領域１１０は、直近で発生している、エラーやワーニングを示すエラー／ワーニング表示領域１１４ａと、プリンター制御プログラム４４ａや３Ｄプリンター２０のファームウェアのバージョンアップのためのバージョンアップ情報などの通知を行うお知らせ表示領域１１４ｂとを含んでいる。お知らせ表示領域１１４ｂは、バージョンアップ情報がある場合、アイコンが表示される。そして、このアイコンがクリックされることによって、表示制御手段４５ｅは、プリンター制御プログラム４４ａや３Ｄプリンター２０のファームウェアのバージョンアップをするためのバージョンアップ画面を表示部４２に表示する。
【００６４】
常時表示領域１１０は、記憶部４４のワークフォルダーの残容量をグラフで示すＨＤＤ残量表示領域１１５ａを含んでいる。ＨＤＤ残量表示領域１１５ａは、記憶部４４のワークフォルダーの残容量が特定の容量を下回った場合、グラフの色が変わるなど、何らかの強調表示がされる。
【００６５】
表示切替領域１２０は、３Ｄプリンター２０による現在の処理対象の印刷ジョブ（以下「現在対象ジョブ」と言う。）と、３Ｄプリンター２０による処理の待機中の印刷ジョブ（以下「待機ジョブ」と言う。）とを表示するためのジョブ表示領域１３０に表示切替領域１２０の表示内容を切り替えるための造形タブ１２１と、造形結果を履歴として表示するための後述の履歴表示領域１４０（図８参照。）に表示切替領域１２０の表示内容を切り替えるための履歴タブ１２２と、３Ｄプリンター２０のメンテナンスに関連する情報を表示するためのメンテナンス関連情報表示領域に表示切替領域１２０の表示内容を切り替えるためのメンテナンスタブ１２３と、ＧＵＩ１００の表示言語の設定やプリンター制御装置４０のネットワーク設定など、各種の設定のための設定表示領域に表示切替領域１２０の表示内容を切り替えるための設定タブ１２４とを備えている。
【００６６】
なお、メンテナンス関連情報表示領域および設定表示領域については、詳細な説明を省略する。
【００６７】
ジョブ表示領域１３０は、現在対象ジョブを示す現在対象ジョブ表示領域１３１と、待機ジョブを示す待機ジョブ表示領域１３５とを含んでいる。
【００６８】
現在対象ジョブ表示領域１３１は、現在対象ジョブの状態として「造形中」、「待機中」および「一時停止中」の何れかの状態を示す状態表示領域１３２ａと、現在対象ジョブの造形の進捗状況（％）をプログレスバーで示す進捗状況表示領域１３２ｂと、現在対象ジョブの完了予定時刻を示す完了予定時刻表示領域１３２ｃとを含んでいる。表示制御手段４５ｅは、現在対象ジョブの造形に必要であると予測される時間（以下「造形予測時間」と言う。）を、現在対象ジョブの３Ｄモデルデータに基づいて算出可能である。そして、表示制御手段４５ｅは、現在対象ジョブの造形の開始時刻に現在対象ジョブの造形予測時間を加えることによって、現在対象ジョブの完了予定時刻を算出可能である。
【００６９】
現在対象ジョブ表示領域１３１は、現在対象ジョブの造形を開始するための造形開始ボタン１３２ｄと、現在対象ジョブの造形を一時停止するための一時停止ボタン１３２ｅと、現在対象ジョブの造形を中止するためのキャンセルボタン１３２ｆとを含んでいる。造形開始ボタン１３２ｄが操作されると、現在対象ジョブの３Ｄモデルデータに基づいて生成された造形データが３Ｄプリンター２０に送信される。造形開始ボタン１３２ｄは、現在対象ジョブが無い場合や、現在対象ジョブの状態が「造形中」である場合には、グレーアウトされて操作されることができない。一時停止ボタン１３２ｅは、現在対象ジョブの状態が「造形中」である場合を除き、グレーアウトされて操作されることができない。キャンセルボタン１３２ｆは、現在対象ジョブの状態が「一時停止中」である場合を除き、グレーアウトされて操作されることができない。キャンセルボタン１３２ｆが操作されると、現在対象ジョブは、現在対象ジョブではなくなり、履歴に含められる（すなわち、後述の履歴ジョブ一覧表示領域１４１ａ（図８参照。）に含められる。）。
【００７０】
現在対象ジョブ表示領域１３１は、現在対象ジョブの名称を示すジョブ名表示領域１３３ａと、現在対象ジョブの発行者を示す発行者表示領域１３３ｂと、現在対象ジョブの発行時刻を示す発行時刻表示領域１３３ｃと、現在対象ジョブの造形の開始時刻を示す造形開始時刻表示領域１３３ｄと、現在対象ジョブの造形予測時間を示す造形予測時間表示領域１３３ｅと、現在対象ジョブの造形のプレビューを示すプレビュー表示領域１３３ｆとを含んでいる。
【００７１】
プレビュー表示領域１３３ｆによって示されるプレビューは、図５においては、３Ｄプリンター２０によって造形される三次元造形物を鉛直方向２０ａの上側から観察した場合のプレビューである。プレビュー表示領域１３３ｆによって示されるプレビューの下側に示される数値は、３Ｄプリンター２０によって造形される三次元造形物のサイズを示している。ここで、Ｘ、Ｙ、Ｚは、それぞれ、副走査方向、主走査方向２０ｂ、鉛直方向２０ａを示している。プレビュー表示領域１３３ｆは、図５においては鉛直方向２０ａのうちの上側から下側への方向に観察した場合のプレビューを表示するが、水平方向のうちの何れかの方向に観察した場合のプレビューを表示しても良い。
【００７２】
プレビュー表示領域１３３ｆによって示されるプレビューは、既に造形が完了している箇所に例えば斜線や赤色などが施されることによって、既に造形が完了している箇所を強調表示しても良い。例えば、図６においては、プレビュー表示領域１３３ｆは、水平方向のうちの何れかの方向に観察した場合のプレビューを表示しており、三次元造形物１７０のうち、既に造形が完了している箇所１７１に斜線が施されることによって、既に造形が完了している箇所１７１を強調表示している。
【００７３】
現在対象ジョブ表示領域１３１は、現在対象ジョブによって造形される三次元造形物においてクリアーインクによって形成されるクリアー層の厚みを増加させるか否かの指示を受け付けるためのチェックボックス１３３ｇと、現在対象ジョブによって造形される三次元造形物においてカラーインクによって形成されるカラー層の厚みを増加させるか否かの指示を受け付けるためのチェックボックス１３３ｈとを含んでいる。
【００７４】
現在対象ジョブ表示領域１３１は、特定の３Ｄモデルデータに基づいた３Ｄプリンター２０による印刷に対して予測されるサポートインクの使用量をグラフおよび数値で示すサポートインク予測使用量表示領域１３４ａを含んでいる。モデルインク、クリアーインク、シアンインク、マゼンタインク、イエローインク、ブラックインクについても同様に、現在対象ジョブ表示領域１３１は、モデルインク予測使用量表示領域１３４ｂ、クリアーインク予測使用量表示領域１３４ｃ、シアンインク予測使用量表示領域１３４ｄ、マゼンタインク予測使用量表示領域１３４ｅ、イエローインク予測使用量表示領域１３４ｆ、ブラックインク予測使用量表示領域１３４ｇを含んでいる。また、現在対象ジョブ表示領域１３１は、特定の３Ｄモデルデータに基づいた３Ｄプリンター２０による印刷に対して予測される、廃インクタンク２７へのＵＶインク２１ａの廃棄量を示す廃インク量予測表示領域１３４ｈを含んでいる。
【００７５】
サポートインク予測使用量表示領域１３４ａのグラフは、サポートインクのインクタンク２６におけるサポートインクの最大貯留量を全体の矩形で示しており、特定の３Ｄモデルデータに基づいた３Ｄプリンター２０による印刷に対して予測される、サポートインクのインクタンク２６からのサポートインクの使用量を全体の矩形に含まれる左側の矩形で示している。モデルインク予測使用量表示領域１３４ｂ、クリアーインク予測使用量表示領域１３４ｃ、シアンインク予測使用量表示領域１３４ｄ、マゼンタインク予測使用量表示領域１３４ｅ、イエローインク予測使用量表示領域１３４ｆおよびブラックインク予測使用量表示領域１３４ｇについても同様である。廃インク量予測表示領域１３４ｈのグラフは、廃インクタンク２７におけるＵＶインク２１ａの最大貯留量を全体の矩形で示しており、特定の３Ｄモデルデータに基づいた３Ｄプリンター２０による印刷に対して予測される、廃インクタンク２７へのＵＶインク２１ａの廃棄量を全体の矩形に含まれる左側の矩形で示している。
【００７６】
なお、現在対象ジョブ表示領域１３１には、現在対象ジョブの造形に必要な残り時間が表示されても良い。例えば、現在対象ジョブの造形に必要な残り時間は、図７に示すように、進捗状況表示領域１３２ｂに表示されても良い。なお、表示制御手段４５ｅは、現在対象ジョブの完了予定時刻と、現在時刻との差を、現在対象ジョブの造形に必要な残り時間として算出可能である。
【００７７】
待機ジョブ表示領域１３５は、待機ジョブをリスト形式で示す待機ジョブ一覧表示領域１３６ａを含んでいる。待機ジョブ一覧表示領域１３６ａは、待機ジョブの数が１ページ分のリストに表示可能な最大数を上回る場合、ページが切り替えられることによって全ての待機ジョブを表示可能である。待機ジョブ一覧表示領域１３６ａにおいては、表示されている待機ジョブの行がクリックされることによって、その待機ジョブが選択されることが可能である。待機ジョブ一覧表示領域１３６ａにおいては、複数の待機ジョブが同時に選択されることはできない。待機ジョブ一覧表示領域１３６ａに表示される待機ジョブには、記憶部４４に記憶されている３Ｄモデルデータや造形データのうち、その待機ジョブの３Ｄモデルデータや造形データが関連付けられている。
【００７８】
待機ジョブ表示領域１３５は、待機ジョブの合計数を示す合計数表示領域１３６ｂと、待機ジョブ一覧表示領域１３６ａに表示されているリストのページ数を示すページ数表示領域１３６ｃと、待機ジョブ一覧表示領域１３６ａに表示されているリストのページを切り替えるページ遷移ボタン１３６ｄとを含んでいる。ページ遷移ボタン１３６ｄは、待機ジョブの数が１ページ分のリストに表示可能な最大数以下である場合、グレーアウトされて操作されることができない。
【００７９】
待機ジョブ表示領域１３５は、待機ジョブ一覧表示領域１３６ａにおいて選択されている待機ジョブの造形のプレビューを示す、プレビュー表示領域１３３ｆと同様なプレビュー表示領域１３７ａと、待機ジョブ一覧表示領域１３６ａにおいて選択されている待機ジョブを待機ジョブ一覧表示領域１３６ａから削除するための削除ボタン１３７ｂと、ＵＳＢメモリーなどの外部の記憶媒体に記憶されている印刷ジョブを待機ジョブとして待機ジョブ一覧表示領域１３６ａに追加するためのジョブインポートボタン１３７ｃとを含んでいる。
【００８０】
プレビュー表示領域１３７ａによって示されるプレビューは、既に造形が完了している箇所に例えば斜線や赤色などが施されることによって、プレビュー表示領域１３３ｆによって示されるプレビューと同様に、既に造形が完了している箇所を強調表示しても良い。
【００８１】
待機ジョブ表示領域１３５は、待機ジョブ一覧表示領域１３６ａにおいて選択されている待機ジョブを現在対象ジョブに移行するための移行ボタン１３８ａを含んでいる。移行ボタン１３８ａが操作されることによって現在対象ジョブに移行した待機ジョブは、待機ジョブ一覧表示領域１３６ａから削除される。
【００８２】
図８は、履歴表示領域１４０が表示されている場合のＧＵＩ１００の一例を示す図である。
【００８３】
図８に示すように、履歴表示領域１４０は、履歴に含まれる印刷ジョブ（以下「履歴ジョブ」と言う。）をリスト形式で示す履歴ジョブ一覧表示領域１４１ａを含んでいる。履歴ジョブ一覧表示領域１４１ａは、タイトルの行、すなわち、先頭の行において何れかのタイトルがクリックされると、クリックされたタイトルでソートされる。履歴ジョブ一覧表示領域１４１ａは、同一のタイトルが連続してクリックされる度に、ソートの順番が昇順および降順の間で切り替わる。履歴ジョブ一覧表示領域１４１ａは、デフォルトでは、「Ｎｏ．」のタイトルで昇順にソートされている。履歴ジョブ一覧表示領域１４１ａは、履歴ジョブの数が１ページ分のリストに表示可能な最大数を上回る場合、ページが切り替えられることによって全ての履歴ジョブを表示可能である。履歴ジョブ一覧表示領域１４１ａにおいては、表示されている履歴ジョブの行がクリックされることによって、その履歴ジョブが選択されることが可能である。履歴ジョブ一覧表示領域１４１ａにおいては、複数の履歴ジョブが同時に選択されることはできない。
【００８４】
履歴ジョブ一覧表示領域１４１ａに表示される履歴ジョブには、記憶部４４に記憶されている３Ｄモデルデータや造形データのうち、その履歴ジョブの３Ｄモデルデータや造形データが関連付けられている。
【００８５】
なお、履歴ジョブ一覧表示領域１４１ａにおいて、「結果」欄の値が「完了」の履歴ジョブは、３Ｄプリンター２０による印刷ジョブが完了した履歴ジョブである。また、履歴ジョブ一覧表示領域１４１ａにおいて、「結果」欄の値が「キャンセル」の履歴ジョブは、３Ｄプリンター２０による印刷ジョブが中断された履歴ジョブであり、印刷ジョブにおける中断時点が関連付けられている。
【００８６】
履歴表示領域１４０は、履歴ジョブの合計数を示す合計数表示領域１４１ｂと、履歴ジョブ一覧表示領域１４１ａに表示されているリストのページ数を示すページ数表示領域１４１ｃと、履歴ジョブ一覧表示領域１４１ａに表示されているリストのページを切り替えるページ遷移ボタン１４１ｄとを含んでいる。ページ遷移ボタン１４１ｄは、履歴ジョブの数が１ページ分のリストに表示可能な最大数以下である場合、グレーアウトされて操作されることができない。
【００８７】
履歴表示領域１４０は、履歴ジョブ一覧表示領域１４１ａにおいて選択されている履歴ジョブの造形のプレビューを示す、プレビュー表示領域１３３ｆ（図５参照。）と同様なプレビュー表示領域１４２ａを含んでいる。
【００８８】
プレビュー表示領域１４２ａによって示されるプレビューは、既に造形が完了している箇所に例えば斜線や赤色などが施されることによって、プレビュー表示領域１３３ｆによって示されるプレビューと同様に、既に造形が完了している箇所を強調表示しても良い。
【００８９】
履歴表示領域１４０は、履歴ジョブ一覧表示領域１４１ａにおいて選択されている履歴ジョブを待機ジョブとする（すなわち、待機ジョブ一覧表示領域１３６ａに含める）ための再造形ボタン１４２ｂと、履歴ジョブ一覧表示領域１４１ａにおいて選択されている履歴ジョブを履歴ジョブ一覧表示領域１４１ａ、すなわち、履歴から削除するための削除ボタン１４２ｃと、履歴ジョブ一覧表示領域１４１ａにおいて選択されている履歴ジョブをＵＳＢメモリーなどの外部の記憶媒体に記憶させるためのジョブエクスポートボタン１４２ｄと、履歴情報をテキストファイルに書き出すためのログファイル作成ボタン１４２ｅと、履歴に含まれる履歴ジョブを全て履歴から削除するための履歴クリアボタン１４２ｆとを含んでいる。
【００９０】
なお、再造形ボタン１４２ｂが押されたとしても、履歴ジョブ一覧表示領域１４１ａにおいて選択されている履歴ジョブは、履歴ジョブ一覧表示領域１４１ａから無くならない。
【００９１】
また、ログファイル作成ボタン１４２ｅが押されたとしても、履歴に含まれる印刷ジョブの３Ｄモデルデータや造形データは書き出されない。
【００９２】
次に、３Ｄプリンター２０によって三次元造形物を造形する場合のプリンター制御装置４０の動作について説明する。
【００９３】
プリンター制御装置４０は、造形開始ボタン１３２ｄが押されると、図９に示す動作を実行する。
【００９４】
図９は、３Ｄプリンター２０によって三次元造形物を造形する場合のプリンター制御装置４０の動作のフローチャートである。
【００９５】
図９に示すように、造形データ生成手段４５ａは、現在対象ジョブの３Ｄモデルデータに基づいて造形データを生成する（Ｓ２０１）。
【００９６】
次いで、印刷制御手段４５ｃは、Ｓ２０１において生成された造形データに基づいて３Ｄプリンター２０に三次元造形物を造形させて（Ｓ２０２）、図９に示す動作を終了する。
【００９７】
なお、プリンター制御装置４０は、一度生成した造形データを印刷ジョブに関連付けて記憶部４４などに記憶しておくことによって、同一の印刷ジョブを再度実行する場合に、Ｓ２０１の処理を省略することができる。
【００９８】
ここで、造形データを生成する場合のプリンター制御装置４０の動作について説明する。
【００９９】
図１０は、造形データを生成する場合のプリンター制御装置４０の動作のフローチャートである。
【０１００】
図１０に示すように、造形データ生成手段４５ａは、現在対象ジョブの３Ｄモデルデータから造形データを生成する（Ｓ２１１）。
【０１０１】
次いで、造形データ生成手段４５ａは、Ｓ２１１において生成した造形データにおける三次元造形物の表面の層を形成するＵＶインク２１ａがクリアーインクであるか否かを判断する（Ｓ２１２）。
【０１０２】
部分追加指示受付手段４５ｂは、三次元造形物の表面の層を形成するＵＶインク２１ａがクリアーインクであるとＳ２１２において判断されると、クリアー層の厚みを増加させる指示がチェックボックス１３３ｇにおいて受け付けられているか否かを判断する（Ｓ２１３）。
【０１０３】
造形データ生成手段４５ａは、クリアー層の厚みを増加させる指示が受け付けられているとＳ２１３において判断されると、Ｓ２１１において生成した造形データを、三次元造形物の表面のクリアー層の厚みを特定の厚みだけ増加させるように修正する（Ｓ２１４）。
【０１０４】
部分追加指示受付手段４５ｂは、三次元造形物の表面の層を形成するＵＶインク２１ａがクリアーインクではない、すなわち、カラーインクであるとＳ２１２において判断されると、カラー層の厚みを増加させる指示がチェックボックス１３３ｈにおいて受け付けられているか否かを判断する（Ｓ２１５）。
【０１０５】
造形データ生成手段４５ａは、カラー層の厚みを増加させる指示が受け付けられているとＳ２１５において判断されると、Ｓ２１１において生成した造形データを、三次元造形物の表面のカラー層の厚みを特定の厚みだけ増加させるように修正する（Ｓ２１６）。
【０１０６】
造形データ生成手段４５ａは、クリアー層の厚みを増加させる指示が受け付けられていないとＳ２１３において判断されるか、Ｓ２１４の処理を実行するか、カラー層の厚みを増加させる指示が受け付けられていないとＳ２１５において判断されるか、Ｓ２１６の処理を実行すると、図１０に示す動作を終了する。
【０１０７】
次に、３Ｄプリンター２０による印刷ジョブが中断される場合のプリンター制御装置４０の動作について説明する。
【０１０８】
プリンター制御装置４０は、キャンセルボタン１３２ｆが操作されるなどして、３Ｄプリンター２０による印刷ジョブが中断される場合、図１１に示す動作を実行する。
【０１０９】
図１１は、３Ｄプリンター２０による印刷ジョブが中断される場合のプリンター制御装置４０の動作のフローチャートである。
【０１１０】
図１１に示すように、印刷制御手段４５ｃは、３Ｄプリンター２０による現在対象ジョブの実行を中断させる（Ｓ２２１）。
【０１１１】
次いで、中断時点記憶手段４５ｄは、現在対象ジョブの印刷ジョブにおける中断時点を、この印刷ジョブに関連付けて記憶部４４などに記憶して（Ｓ２２２）、図１１に示す動作を終了する。
【０１１２】
ここで、３Ｄプリンター２０による印刷ジョブの中断方法について説明する。
【０１１３】
３Ｄプリンター２０による印刷ジョブの中断方法としては、キャンセルボタン１３２ｆが操作される方法が存在する。しかしながら、プリンター制御装置４０は、３Ｄプリンター２０による印刷ジョブの中断を予約することもできる。
【０１１４】
例えば、一部印刷指示受付手段４５ｆは、図１２に示すように、水平方向のうちの何れかの方向に観察した場合のプレビューをプレビュー表示領域１３３ｆが表示しているとき、３Ｄプリンター２０による三次元造形物１７０の印刷ジョブの中断位置１７２を操作部４１を介して受け付けることができる。したがって、印刷制御手段４５ｃは、鉛直方向２０ａにおける三次元造形物１７０の造形の位置が中断位置１７２に達するまでは、三次元造形物１７０の印刷ジョブを継続するが、鉛直方向２０ａにおける三次元造形物１７０の造形の位置が中断位置１７２に達した場合、三次元造形物１７０の印刷ジョブを中断する。
【０１１５】
一部印刷指示受付手段４５ｆは、中断位置１７２として任意の位置をプレビュー上で設定可能であっても良いが、中断位置１７２として特定の位置をプレビュー上で設定可能であっても良い。例えば、一部印刷指示受付手段４５ｆは、利用者によってプレビュー上で選択されることが可能な中断位置の情報が３Ｄモデルデータに含まれていても良いし、鉛直方向２０ａ（図２参照。）における高さが異なる複数の造形物によって三次元造形物１７０が構成されている場合に、複数の造形物のうち鉛直方向２０ａにおける高さが最も高い造形物を除いた造形物の造形が完了される位置を中断位置１７２としてプレビュー上で設定可能であっても良い。例えば、一部印刷指示受付手段４５ｆは、図１３に示すように、鉛直方向２０ａにおける高さが異なる造形物１７０ａ〜１７０ｄによって三次元造形物１７０が構成されている場合、造形物１７０ａ〜１７０ｄのうち鉛直方向２０ａにおける高さが最も高い造形物１７０ｄを除いた造形物１７０ａ〜１７０ｃの造形がそれぞれ完了される位置１７２ａ〜１７２ｃを中断位置１７２としてプレビュー上で設定可能であっても良い。
【０１１６】
一部印刷指示受付手段４５ｆは、現在対象ジョブの造形を開始する前だけでなく、現在対象ジョブの造形を開始した後であっても、中断位置１７２をプレビュー上で設定可能である。
【０１１７】
なお、キャンセルボタン１３２ｆが操作される方法以外の方法で印刷ジョブが中断される場合も、キャンセルボタン１３２ｆが操作される方法で印刷ジョブが中断される場合と同様に、現在対象ジョブは、現在対象ジョブではなくなり、履歴に含められる（すなわち、履歴ジョブ一覧表示領域１４１ａ（図８参照。）に含められる。）。
【０１１８】
次に、中断されていた印刷ジョブが再開される場合のプリンター制御装置４０の動作について説明する。
【０１１９】
プリンター制御装置４０は、履歴表示領域１４０の履歴ジョブ一覧表示領域１４１ａにおいて「結果」欄の値が「キャンセル」の履歴ジョブである印刷ジョブが選択された状態で再造形ボタン１４２ｂが押されると、この印刷ジョブをジョブ表示領域１３０の待機ジョブ一覧表示領域１３６ａに含める。次いで、プリンター制御装置４０は、この印刷ジョブが待機ジョブ一覧表示領域１３６ａにおいて選択された状態で移行ボタン１３８ａが押されると、この印刷ジョブを現在対象ジョブとする。そして、プリンター制御装置４０は、この印刷ジョブが現在対象ジョブになっている状態で造形開始ボタン１３２ｄが押されると、図１４に示す動作を実行する。
【０１２０】
図１４は、中断されていた印刷ジョブが再開される場合のプリンター制御装置４０の動作のフローチャートである。
【０１２１】
図１４に示すように、印刷制御手段４５ｃは、現在対象ジョブに関連付けて記憶部４４などに記憶されている造形データおよび中断時点を取得する（Ｓ２３１）。
【０１２２】
次いで、印刷制御手段４５ｃは、Ｓ２３１において取得した造形データに基づいた３Ｄプリンター２０による印刷ジョブを、Ｓ２３１において取得した中断時点から再開して（Ｓ２３２）、図１４に示す動作を終了する。
【０１２３】
図１４に示す動作においては、印刷制御手段４５ｃは、現在対象ジョブに関連付けて記憶部４４などに記憶されている造形データを使用している。しかしながら、印刷制御手段４５ｃは、現在対象ジョブに関連付けて記憶部４４などに記憶されている３Ｄモデルデータに基づいて造形データを再度生成しても良い。
【０１２４】
なお、中断されていた印刷ジョブが再開される場合、再開後に造形される造形物（以下「再開後造形物」と言う。）の造形方法としては、再開後造形物を台２５上に直接造形する方法と、中断前に造形されていた造形物（以下「中断前造形物」と言う。）上に再開後造形物を造形する方法とが考えられる。再開後造形物を台２５上に直接造形する方法の場合、再開後造形物は、中断前造形物とは別に造形されるので、再開後造形物の造形完了後に、中断前造形物と、再開後造形物とを接着剤などの何らかの固定方法によって連結する。中断前造形物上に再開後造形物を造形する方法の場合、中断前造形物を台２５上にセットした後、再開後造形物の造形を開始する。
【０１２５】
以上に説明したように、プリンター制御装置４０は、３Ｄプリンター２０による印刷ジョブをＳ２２１において中断した後、この印刷ジョブをＳ２３２において再開する前に、３Ｄプリンター２０によって他の印刷ジョブを実行することができるので、３Ｄプリンター２０において印刷ジョブの実行を開始してから他の印刷ジョブの実行を開始するまでの時間を短縮することができる。
【０１２６】
なお、プリンター制御装置４０においては、キャンセルボタン１３２ｆの操作や、プレビュー表示領域１３３ｆにおけるプレビューに対する、印刷ジョブの中断の予約の操作によって印刷ジョブを中断した後に、上述のように再造形ボタン１４２ｂ、移行ボタン１３８ａ、造形開始ボタン１３２ｄが順に操作されて印刷ジョブを再開する場合と、一時停止ボタン１３２ｅの操作によって印刷ジョブを一時停止した後に、造形開始ボタン１３２ｄの操作によって印刷ジョブを再開する場合とが存在するが、何れの場合にも、造形データのうち、再開後に３Ｄプリンター２０によって使用される少なくとも一部が例えば操作部４１を介した指示に応じて変更されることが可能である。
【０１２７】
プリンター制御装置４０は、印刷ジョブの全部ではなく、印刷ジョブのうちプレビューにおいて指示された一部を３Ｄプリンター２０に実行させる（Ｓ２０２およびＳ２２１）ので、３Ｄプリンター２０において印刷ジョブの実行を開始してから他の印刷ジョブの実行を開始するまでの時間を短縮することができる。
【０１２８】
また、プリンター制御装置４０は、印刷ジョブのうち実行される部分の指示をプレビューによって受け付けるので、３Ｄプリンター２０によって造形されることを利用者が意図していたものと、実際に３Ｄプリンター２０によって造形されたものとの差異を抑えることができる。特に、プリンター制御装置４０は、印刷ジョブのうちプレビューにおいて指示された一部を３Ｄプリンター２０に実行させることによって印刷ジョブを中断する場合、印刷ジョブのうち中断前に実行される部分の指示をプレビューによって受け付けるので、印刷ジョブのうち中断前に実行される部分と、この印刷ジョブのうち再開後に造形される部分との両方に関して、３Ｄプリンター２０によって印刷されることを利用者が意図していたものと、実際に３Ｄプリンター２０によって印刷されたものとの差異を抑えることができる。
【０１２９】
なお、プリンター制御装置４０は、本実施の形態において、３Ｄプリンター２０に造形させるためにプレビューにおいて三次元造形物のうち鉛直方向２０ａにおける一部が指示される。しかしながら、プリンター制御装置４０は、３Ｄプリンター２０に造形させるためにプレビューにおいて三次元造形物の一部が指示される場合、鉛直方向２０ａにおける一部以外の部分が指示されても良い。例えば、プリンター制御装置４０は、図１５に示すように、プレビューにおいて三次元造形物のうち水平方向における一部が指示されても良い。図１５においては、プレビュー表示領域１３３ｆは、鉛直方向２０ａのうちの上側から下側への方向に観察した場合のプレビューを表示しており、三次元造形物１７０を構成する造形物１７０ｅ〜１７０ｈのうちの造形物１７０ｈが範囲１７３の指定によって指示されている。
【０１３０】
プリンター制御装置４０は、三次元造形物の表面に特定の厚みの部分を追加した造形データを生成する（Ｓ２１４またはＳ２１６）ので、表面に特定の厚みの部分を追加した三次元造形物を３Ｄプリンター２０に造形させることができる。したがって、プリンター制御装置４０によって３Ｄプリンター２０で造形された三次元造形物は、複数のＵＶインク２１ａの滴で形成されることによって生じる表面の凹凸を、表面に追加された部分が削られることによって低減することができる。
【０１３１】
プリンター制御装置４０は、三次元造形物の表面に追加する部分が、この部分を追加せずに３Ｄモデルデータから生成したと仮定した場合の造形データにおける三次元造形物の表面の層を形成するＵＶインク２１ａと同一のＵＶインク２１ａによって形成されるので、この部分を追加せずに３Ｄモデルデータから生成したと仮定した場合の造形データにおける三次元造形物の表面の層を厚くした三次元造形物を３Ｄプリンター２０に造形させることができる。したがって、プリンター制御装置４０によって３Ｄプリンター２０で造形された三次元造形物は、表面に追加された部分が削られたとしても、３Ｄモデルデータに適切に対応した外観を得ることができる。
【０１３２】
なお、プリンター制御装置４０は、本実施の形態において、三次元造形物の表面に特定の厚みの部分を追加させるか否かの指示を部分追加指示受付手段４５ｂがチェックボックス１３３ｇおよびチェックボックス１３３ｈによって受け付けるようになっているが、特定の厚み自体は固定値である。しかしながら、部分追加指示受付手段４５ｂは、三次元造形物の表面に追加させる部分の厚みの指示を例えばテキストボックスやスピンボックスなどによって現在対象ジョブ表示領域１３１において受け付けるようになっていても良い。プリンター制御装置４０は、三次元造形物の表面に追加させる部分の厚みの指示を受け付ける場合、利用者が希望する厚みの部分を表面に追加した三次元造形物を３Ｄプリンター２０に造形させることができる。したがって、プリンター制御装置４０が三次元造形物の表面に追加させる部分の厚みの指示を受け付ける場合、プリンター制御装置４０によって３Ｄプリンター２０で造形された三次元造形物は、複数のＵＶインク２１ａの滴で形成されることによって生じる表面の凹凸を、表面に適切な厚みで追加された部分が削られることによって適切に低減することができる。
【０１３３】
プリンター制御装置４０は、本実施の形態において、三次元造形物の表面がクリアー層およびカラー層の何れであるかによって、三次元造形物の表面に特定の厚みの部分を追加させるか否かを変えることができる。しかしながら、プリンター制御装置４０は、三次元造形物の表面を形成するＵＶインク２１ａの種類に関わらず、三次元造形物の表面に特定の厚みの部分を追加させるか否かの指示を部分追加指示受付手段４５ｂが受け付けるようになっていても良い。
【０１３４】
三次元造形システム１０は、本実施の形態において、ＧＵＩ１００をプリンター制御装置４０の表示部４２に表示させる。しかしながら、三次元造形システム１０は、ＧＵＩ１００と同様なＧＵＩを３Ｄプリンター２０の表示部３２に表示させても良い。３Ｄプリンター２０の表示部３２に表示させたＧＵＩは、例えば操作部３１によって操作される。
【０１３５】
三次元造形システム１０は、本実施の形態において、３Ｄプリンター２０およびプリンター制御装置４０を備えている。しかしながら、三次元造形システム１０は、上述したプリンター制御装置４０の機能を３Ｄプリンター２０が備えている場合には、プリンター制御装置４０を備えていなくても良い。
【０１３６】
本実施の形態においては、三次元造形システム、すなわち、三次元の印刷システムについて説明している。しかしながら、本発明は、二次元の印刷システムにも適用可能である。
【符号の説明】
【０１３７】
２０  ３Ｄプリンター（インクジェットプリンター）
２１ｂ  層
４０  プリンター制御装置（印刷制御装置、コンピューター）
４２  表示部（表示デバイス）
４４ａ  プリンター制御プログラム（印刷制御プログラム）
４５ａ  造形データ生成手段
４５ｂ  部分追加指示受付手段
４５ｃ  印刷制御手段
４５ｄ  中断時点記憶手段
４５ｅ  表示制御手段
４５ｆ  一部印刷指示受付手段
１７０  三次元造形物
【図１】
2018089777.tif 000003
【図２】
2018089777.tif 000004
【図３】
2018089777.tif 000005
【図４】
2018089777.tif 000006
【図５】
2018089777.tif 000007
【図６】
2018089777.tif 000008
【図７】
2018089777.tif 000009
【図８】
2018089777.tif 000010
【図９】
2018089777.tif 000011
【図１０】
2018089777.tif 000012
【図１１】
2018089777.tif 000013
【図１２】
2018089777.tif 000014
【図１３】
2018089777.tif 000015
【図１４】
2018089777.tif 000016
【図１５】
2018089777.tif 000017